(57)【要約】【課題】構造が簡単で製造コストの低廉化と施工時間の短縮を図るとともに浄化能力の強化が容易な磁気処理水製造装置を提供する。【解決手段】複数の楕円体１が、吸着したとき磁力で自重を支持可能な永久磁石から成る。各楕円体１は球状のネオジム磁石から成る。各楕円体１はそれぞれ吸着して結合され、管２の内部に水を通過可能な間隙をあけて管２の内部に収容される。強磁性体３が管２の外側から楕円体１により吸着されて各楕円体１とともに管２の任意の位置で保持される。強磁性体３は球状のネオジム磁石から成る。【選択図】図１
2020058957.tif 000002
【特許請求の範囲】
【請求項１】
複数の楕円体と管と強磁性体とを有し、
各楕円体は吸着したとき磁力で自重を支持可能な永久磁石から成り、それぞれ吸着して結合され、前記管の内部に水を通過可能な間隙をあけて前記管の内部に収容され、
前記強磁性体は前記管の外側から前記楕円体により吸着されて各楕円体とともに前記管の任意の位置で保持されることを、
特徴とする磁気処理水製造装置。
【請求項２】
前記楕円体は球状のネオジム磁石から成ることを、特徴とする請求項１記載の磁気処理水製造装置。
【請求項３】
前記強磁性体は球状のネオジム磁石から成ることを、特徴とする請求項２記載の磁気処理水製造装置。
【請求項４】
前記管はストローから成ることを、特徴とする請求項１，２または３記載の磁気処理水製造装置。
【発明の詳細な説明】
【技術分野】
【０００１】
本発明は、磁気処理水製造装置に関する。
【背景技術】
【０００２】
給水流路内の磁性微粒子の除去ないし赤水対策のため、高勾配磁気分離装置を貯水タンク、浄水器などに取り付け、高勾配磁気分離装置により水道水中の懸濁磁性粒子を磁気力で吸着捕獲して給水浄化する給水浄化装置が知られている（例えば、特許文献１参照）。高勾配磁気分離装置は、保持筒体内にリング状の永久磁石と鉄製リングとフィルタカートリッジとを具備している。
【先行技術文献】
【特許文献】
【０００３】
【特許文献１】特許第２７２１３９３号公報
【発明の概要】
【発明が解決しようとする課題】
【０００４】
しかしながら、特許文献１に記載の給水浄化装置は、構造が複雑で製造コストがかさむという課題があった。また、特許文献１に記載の給水浄化装置は、給水管に接続する必要があるため、施工に時間がかかるという課題があった。さらに、設置後に浄化能力を高めたい場合、装置全体を能力の高いものに交換するか、吸水浄化装置を増設する必要があるため、交換や増設にコストと施工時間を要するという課題があった。
【０００５】
本発明は、このような課題に着目してなされたもので、構造が簡単で製造コストの低廉化と施工時間の短縮を図るとともに、浄化能力の強化が容易な磁気処理水製造装置を提供することを目的とする。
【課題を解決するための手段】
【０００６】
上記目的を達成するために、本発明に係る磁気処理水製造装置は、複数の楕円体と管と強磁性体とを有し、各楕円体は吸着したとき磁力で自重を支持可能な永久磁石から成り、それぞれ吸着して結合され、前記管の内部に水を通過可能な間隙をあけて前記管の内部に収容され、前記強磁性体は前記管の外側から前記楕円体により吸着されて各楕円体とともに前記管の任意の位置で保持されることを、特徴とする。
【０００７】
本発明に係る磁気処理水製造装置は、管の両端を給水管などに接続して使用してもよいが、管に既存の給水管を用いてもよい。管の内部に水を通すと、水は各楕円体と管との間隙を通過する。各楕円体は永久磁石から成るため、各楕円体に接触した水および各楕円体の磁力を受けた水は磁化処理される。水中の磁性微粒子は、各楕円体に吸着されて除去される。本発明に係る磁気処理水製造装置は、複数の楕円体と管と強磁性体とで構成されるため、構造が簡単で製造コストの低廉化を図ることができる。
【０００８】
本発明に係る磁気処理水製造装置は、管が合成樹脂やセラミックなど強磁性体以外の材質から成るとき、管の内部に複数の楕円体を入れ、管の外側から楕円体を強磁性体に吸着させることにより、施工時間の短縮を図って容易に施工することができる。
また、管の内部に入れる楕円体の個数を増加することにより、浄化能力を容易に高めることができる。管の内部に入れた楕円体はそれぞれ吸着して結合され、管の外側の強磁性体に吸着されて管内に保持される。楕円体は管の内部で転がして移動させることができるので、管を傷めずに管内に楕円体を増やすことができる。
【０００９】
各楕円体の大きさは、同一でもそれぞれ異なっていてもよい。
前記楕円体は、球状のネオジム磁石から成ることが好ましい。この場合、楕円体を管の内部で転がして移動させやすい。
【００１０】
前記強磁性体は、鉄、コバルト、ニッケルなどから成ってもよいが、球状のネオジム磁石から成ることが好ましい。この場合、強磁性体を管の外側側面に沿って転がすことにより、楕円体を管の内部で転がして容易に移動させることができる。また、球状のネオジム磁石は中心線の両端にＮ極とＳ極を形成するため、強磁性体を管の外側側面に沿って転がして楕円体を管の内部で転がすとき、楕円体は強弱を付けた動きで回転して移動する。このため、楕円体により、管の内部に付着したスケーラなどを剥離させることもできる。
【００１１】
本発明に係る磁気処理水製造装置において、前記管はストローから成ってもよい。この場合、携帯して好きな場所で磁気処理水を飲むことができる。
【発明の効果】
【００１２】
本発明によれば、構造が簡単で製造コストの低廉化と施工時間の短縮を図るとともに、浄化能力の強化が容易な磁気処理水製造装置を提供することができる。
【図面の簡単な説明】
【００１３】
【図１】本発明の第１の実施の形態の磁気処理水製造装置を示す縦断面図である。
【図２】本発明の第２の実施の形態の磁気処理水製造装置を示す正面図である。
【図３】本発明の第２の実施の形態の磁気処理水製造装置の変形例を示す正面図である。
【発明を実施するための形態】
【００１４】
以下、図面に基づき、本発明の実施の形態について説明する。
図１は、本発明の第１の実施の形態を示している。
本発明の実施の形態の磁気処理水製造装置は、複数の楕円体１と管２と強磁性体３とを有する。各楕円体１は、吸着したとき磁力で自重を支持可能な球状のネオジム磁石から成る。各楕円体１の大きさは、同一である。各楕円体１は、それぞれ吸着して結合され、管２の内部に水を通過可能な間隙をあけて管２の内部に収容されている。複数の楕円体１は、本実施の形態では４個から成るが、２個以上何個から成ってもよい。
【００１５】
管２は、給水管２の材質に合わせて硬質塩化ビニル管２でも鋼管２でもよいが、合成樹脂やセラミックなど強磁性体以外の材質から成ることが好ましい。
強磁性体３は、球状のネオジム磁石から成る。強磁性体３は、管２の外側から楕円体１により吸着されて各楕円体１とともに管２の任意の位置で保持される。
【００１６】
磁気処理水製造装置は、管２に既存の給水管を用いることができる。管２の内部に水を通すと、水は各楕円体１と管２との間隙を通過する。各楕円体１は永久磁石から成るため、各楕円体１に接触した水および各楕円体１の磁力を受けた水は磁化処理される。水中の磁性微粒子は、各楕円体１に吸着されて除去される。磁気処理水製造装置は、複数の楕円体１と管２と強磁性体３とで構成されるため、構造が簡単で製造コストの低廉化を図ることができる。
【００１７】
磁気処理水製造装置は、管２が合成樹脂やセラミックなど強磁性体以外の材質から成るとき、管２の内部に複数の楕円体１を入れ、管２の外側から楕円体１を強磁性体３に吸着させることにより、施工時間の短縮を図って容易に施工することができる。管２の内部に複数の楕円体１を入れるとき、貯水タンクから管２に流し込むようにしてもよい。
【００１８】
また、管２の内部に入れる楕円体１の個数を増加することにより、浄化能力を容易に高めることができる。管２の内部に楕円体１を入れるだけで、装置全体を能力の高いものに交換したり装置を増設したりする必要がないため、廉価なコストで短時間で浄化能力を高めることができる。管２の内部に入れた楕円体１はそれぞれ吸着して結合され、管２の外側の強磁性体３に吸着されて管２の内部に保持される。楕円体１は管２の内部で転がして移動させることができるので、管２を傷めずに管２の内部に楕円体１を増やすことができる。
【００１９】
楕円体１は球状のネオジム磁石から成るため、楕円体１を管２の内部で転がして移動させやすい。また、強磁性体３は球状のネオジム磁石から成るため、強磁性体３を管２の外側側面に沿って転がすことにより、楕円体１を管２の内部で転がして容易に移動させることができる。球状のネオジム磁石は中心線の両端にＮ極とＳ極を形成するため、強磁性体３を管２の外側側面に沿って転がして楕円体１を管２の内部で転がすとき、楕円体１は強弱を付けた動きで回転して移動する。このため、楕円体１により、管２の内部に付着したスケーラなどを剥離させることもできる。
【００２０】
図２は、本発明の第２の実施の形態を示している。
本発明の第２の実施の形態の磁気処理水製造装置は、携帯可能な大きさから成る。
磁気処理水製造装置は、複数の楕円体１１と管１２と強磁性体１３とを有する。各楕円体１１は、吸着したとき磁力で自重を支持可能な球状のネオジム磁石から成る。各楕円体１１の大きさは、同一である。各楕円体１１は、それぞれ吸着して結合され、管１２の内部に水を通過可能な間隙をあけて管１２の内部に収容されている。複数の楕円体１１は、本実施の形態では４個から成るが、２個以上何個から成ってもよい。
【００２１】
管１２は、ポリプロピレンなどの合成樹脂製のストローから成る。強磁性体１３は、球状のネオジム磁石から成る。強磁性体１３は、管１２の外側から楕円体１１により吸着されて各楕円体１１とともに管１２の任意の位置で保持される。
【００２２】
本発明の第２の実施の形態の磁気処理水製造装置は、携帯して好きな場所で磁気処理水を飲むのに利用することができる。
【００２３】
図３は、本発明の第２の実施の形態の変形例を示している。
変形例の磁気処理水製造装置は、強磁性体１３の代わりに、管１２の内部に１対の支持部材１４を有している。各楕円体１１は、支持部材１４の間に挟まれ、中心線を管１２の中心線に合わせて管１２の内部に配置される。管１２は、ストローから成る。楕円体１１と管１２との間には、間隙が設けられている。
この変形例では、楕円体１１と管１２との間に間隙が確保されるので、管１２を通る水を磁気処理しやすくなっている。
【符号の説明】
【００２４】
１，１１  楕円体
２，１２  管
３，１３  強磁性体
１４  支持部材
【図１】
2020058957.tif 000003
【図２】
2020058957.tif 000004
【図３】
2020058957.tif 000005